(57)【要約】【課題】  １フレーム内に通話チャネルＴｃｈと制御チャネルＣｃｈが混在している場合でも、バースト信号の信号レベルの適性化を図ることができる無線装置を得ることを目的とする。【解決手段】  方向性結合器４により取り出されたバースト信号の中央付近の信号レベルを検波する検波器６を設け、その検波器６により検波された信号レベルが基準レベルと一致するように、変調器１により変調されたバースト信号の信号レベルを調整する。これにより、１フレーム内に通話チャネルＴｃｈと制御チャネルＣｃｈが混在している場合でも、バースト信号の信号レベルの適性化を図ることができる。【選択図】        図１
2005184251.tif 000002
【特許請求の範囲】
【請求項１】
バースト信号を変調する変調手段と、上記変調手段により変調されたバースト信号を送信する送信手段と、上記送信手段から送信されるバースト信号の終了付近以外の信号レベルを検波する検波手段と、上記検波手段により検波された信号レベルが基準レベルと一致するように、上記変調手段により変調されたバースト信号の信号レベルを調整するレベル調整手段とを備えた無線装置。
【請求項２】
検波手段は、送信手段から送信されるバースト信号の中央付近の信号レベルを検波することを特徴とする請求項１記載の無線装置。
【請求項３】
検波手段によるバースト信号の信号レベルの検波タイミングを設定するタイミング設定手段を設けたことを特徴とする請求項１または請求項２記載の無線装置。
【発明の詳細な説明】
【技術分野】
【０００１】
この発明は、バースト信号の信号レベルを調整する機能を備えている無線装置に関するものである。
【背景技術】
【０００２】
従来の無線装置は、変調器がバースト信号を変調すると、電力増幅器が当該バースト信号を電力増幅し、電力増幅後のバースト信号を送信する。
そして、無線装置のＣＰＵは、検波器が電力増幅後のバースト信号の終了付近の信号レベルを検波すると、その終了付近の信号レベルが基準レベルと一致するように、可変減衰器を制御して、変調器により変調されたバースト信号の信号レベルを調整している（例えば、特許文献１参照）。
【０００３】
【特許文献１】特開平６−２１６７８５号公報（段落番号［００１５］から［００２０］、図１）
【発明の開示】
【発明が解決しようとする課題】
【０００４】
従来の無線装置は以上のように構成されているので、１フレーム内に通話チャネルＴｃｈと制御チャネルＣｃｈが混在していなければ、バースト信号の信号レベルの適性化を図ることができる。しかし、通話チャネルＴｃｈと制御チャネルＣｃｈとでは信号フォーマットが異なり、通話チャネルＴｃｈに係るバースト信号の終了付近の信号レベルと、制御チャネルＣｃｈに係るバースト信号の終了付近の信号レベルとが異なるため、１フレーム内に通話チャネルＴｃｈと制御チャネルＣｃｈが混在している場合には、バースト信号の終了付近の信号レベルと基準レベルを比較しても、バースト信号の信号レベルの適性化を図ることができない課題があった。
【０００５】
即ち、通話チャネルＴｃｈに見合う基準レベルと比較すると、通話チャネルＴｃｈに係るバースト信号の信号レベルの適性化を図れても、制御チャネルＣｃｈに係るバースト信号の信号レベルの適性化を図ることができない。逆に、制御チャネルＣｃｈに見合う基準レベルと比較すると、制御チャネルＣｃｈに係るバースト信号の信号レベルの適性化を図れても、通話チャネルＴｃｈに係るバースト信号の信号レベルの適性化を図ることができない。
【０００６】
この発明は上記のような課題を解決するためになされたもので、１フレーム内に通話チャネルＴｃｈと制御チャネルＣｃｈが混在している場合でも、バースト信号の信号レベルの適性化を図ることができる無線装置を得ることを目的とする。
【課題を解決するための手段】
【０００７】
この発明に係る無線装置は、送信手段から送信されるバースト信号の終了付近以外の信号レベルを検波する検波手段を設け、その検波手段により検波された信号レベルが基準レベルと一致するように、変調手段により変調されたバースト信号の信号レベルを調整するものである。
【発明の効果】
【０００８】
この発明によれば、送信手段から送信されるバースト信号の終了付近以外の信号レベルを検波する検波手段を設け、その検波手段により検波された信号レベルが基準レベルと一致するように、変調手段により変調されたバースト信号の信号レベルを調整するように構成したので、１フレーム内に通話チャネルＴｃｈと制御チャネルＣｃｈが混在している場合でも、バースト信号の信号レベルの適性化を図ることができる効果がある。
【発明を実施するための最良の形態】
【０００９】
実施の形態１．
図１はこの発明の実施の形態１による無線装置を示す構成図であり、図において、変調器１は通話チャネルＴｃｈと制御チャネルＣｃｈが混在しているフレーム信号を受けると、そのフレーム信号内の通話チャネルＴｃｈと制御チャネルＣｃｈに係る信号を変調し、その変調信号（以下、バースト信号という）をバースト的に出力する。なお、変調器１は変調手段を構成している。
可変アッテネータ２はＣＰＵ９の指示の下、変調器１から出力されたバースト信号の信号レベルを調整する。
【００１０】
電力増幅器３は可変アッテネータ２により信号レベルが調整されたバースト信号の電力を増幅する。方向性結合器４は電力増幅器３による電力増幅後のバースト信号をアンテナ５に出力するとともに、そのバースト信号の一部を取り出して検波器６に出力する。アンテナ５は方向性結合器４から出力されたバースト信号を送信する。なお、方向性結合器４及びアンテナ５から送信手段が構成されている。
検波器６は方向性結合器４により取り出されたバースト信号の終了付近以外（例えば、中央付近）の信号レベルを検波する。ローパスフィルタ７は検波器６により検波された信号レベルの平滑化を行う。
なお、方向性結合器４、検波器６及びローパスフィルタ７から検波手段が構成されている。
【００１１】
Ａ／Ｄ変換器８はローパスフィルタ７による平滑化後の信号レベルを、アナログ信号からデジタル信号に変換してＣＰＵ９に出力する。ＣＰＵ９はＡ／Ｄ変換器８から出力された信号レベルが基準レベルと一致するように、信号レベルの調整を指示する制御信号を出力する。Ｄ／Ａ変換器１０はＣＰＵ９から出力された制御信号を、デジタル信号からアナログ信号に変換して可変アッテネータ２に出力する。
なお、ＣＰＵ９及び可変アッテネータ２からレベル調整手段が構成されている。
【００１２】
次に動作について説明する。
図２はＴＤＤ（時分割型デュプレックス）方式で通信を行う市町村デジタル同報通信システムにおけるフレーム構成とバースト信号の波形を示す説明図である。
バースト信号の信号長は例えば約９０μｓ程度であり、通話チャネルＴｃｈに係るバースト信号の信号波形と、制御チャネルＣｃｈに係るバースト信号の信号波形とを比較すると、中央付近（例えば信号の先頭から４５μｓ付近）の信号レベルは略一致するが、終了付近では、制御チャネルＣｃｈに係るバースト信号の信号レベルが、通話チャネルＴｃｈに係るバースト信号の信号レベルより低い。
【００１３】
まず、変調器１は、図２に示すように、通話チャネルＴｃｈと制御チャネルＣｃｈが混在しているフレーム信号を受けると、そのフレーム信号内の通話チャネルＴｃｈと制御チャネルＣｃｈに係る信号を変調し、その変調信号であるバースト信号をバースト的に出力する。
可変アッテネータ２は、詳細は後述するが、変調器１からバースト信号を受けると、ＣＰＵ９から出力される制御信号（Ｄ／Ａ変換器１０によりアナログ信号に変換された制御信号）にしたがって、そのバースト信号の信号レベルを調整する。
【００１４】
電力増幅器３は、可変アッテネータ２から信号レベル調整後のバースト信号を受けると、そのバースト信号の電力を増幅する。
方向性結合器４は、電力増幅器３による電力増幅後のバースト信号をアンテナ５に出力することにより、そのバースト信号を送信する。
また、方向性結合器４は、電力増幅後のバースト信号の一部を取り出して検波器６に出力する。
【００１５】
検波器６は、方向性結合器４から電力増幅後のバースト信号を受けると、そのバースト信号の中央付近の信号レベルを検波する。
例えば、バースト信号の先頭から４５μｓ後に、そのバースト信号の信号レベルを測定することにより、そのバースト信号の中央付近の信号レベルを検波する。
ローパスフィルタ７は、検波器６により検波された信号レベルの平滑化を行う。
【００１６】
Ａ／Ｄ変換器８は、ローパスフィルタ７による平滑化後の信号レベルを、アナログ信号からデジタル信号に変換してＣＰＵ９に出力する。
ＣＰＵ９は、Ａ／Ｄ変換器８から中央付近の信号レベルを受けると、その信号レベルと予め設定された基準レベルを比較する。
そして、ＣＰＵ９は、中央付近の信号レベルが基準レベルより大きければ、バースト信号の信号レベルの下げを指示する制御信号を出力し、中央付近の信号レベルが基準レベルより小さければ、バースト信号の信号レベルの上げを指示する制御信号を出力する。
【００１７】
Ｄ／Ａ変換器１０は、ＣＰＵ９から出力された制御信号を、デジタル信号からアナログ信号に変換して可変アッテネータ２に出力する。
可変アッテネータ２は、Ｄ／Ａ変換器１０によりアナログ信号に変換された制御信号を受け、その制御信号が信号レベルの下げを指示している場合、変調器１から出力されたバースト信号の信号レベルを下げる調整を実施して電力増幅器３に出力する。
一方、その制御信号が信号レベルの上げを指示している場合、変調器１から出力されたバースト信号の信号レベルを上げる調整を実施して電力増幅器３に出力する。
【００１８】
以上で明らかなように、この実施の形態１によれば、方向性結合器４により取り出されたバースト信号の中央付近の信号レベルを検波する検波器６を設け、その検波器６により検波された信号レベルが基準レベルと一致するように、変調器１により変調されたバースト信号の信号レベルを調整する構成にしたので、１フレーム内に通話チャネルＴｃｈと制御チャネルＣｃｈが混在している場合でも、バースト信号の信号レベルの適性化を図ることができる効果を奏する。
【００１９】
実施の形態２．
上記実施の形態１では、検波器６が方向性結合器４により取り出されたバースト信号の中央付近の信号レベルを検波するものについて示したが、バースト信号の先頭付近の信号レベルが安定している場合には、そのバースト信号の先頭付近の信号レベルを検波するようにしてもよく、上記実施の形態１と同様の効果を奏することができる。
【００２０】
実施の形態３．
図３はこの発明の実施の形態３による無線装置を示す構成図であり、図において、図１と同一符号は同一または相当部分を示すので説明を省略する。
タイミング設定器１１は検波器６によるバースト信号の信号レベルの検波タイミングを設定するタイミング設定手段を構成している。
【００２１】
上記実施の形態１では、検波器６が方向性結合器４により取り出されたバースト信号の中央付近の信号レベルを検波するものについて示したが、タイミング設定器１１を用いて、例えば、ユーザが検波器６によるバースト信号の信号レベルの検波タイミングを設定するようにしてもよい。
これにより、通話チャネルＴｃｈや制御チャネルＣｃｈの信号フォーマットが適宜変更されたり、通信システムの仕様が変更されたりしても、本通信装置を適用することができる効果を奏する。
【００２２】
なお、図３の例では、タイミング設定器１１をＣＰＵ９の外部に設置しているものについて示したが、ＣＰＵ９がタイミング設定器１１に相当する機能を備えるようにしてもよい。
即ち、検波タイミングの設定を受け付ける設定受付プログラムを図示せぬメモリに格納し、ＣＰＵ９が設定受付プログラムを実施することにより、検波器６によるバースト信号の信号レベルの検波タイミングを設定するようにしてもよい。
具体的には、例えば、ユーザが図示せぬキーボードやマウスなどの入力装置を操作したとき、ＣＰＵ９が設定受付プログラムを実施することによって、その操作信号を判別するようにすれば、ユーザが要求する検波タイミングを設定することができる。
【図面の簡単な説明】
【００２３】
【図１】この発明の実施の形態１による無線装置を示す構成図である。
【図２】ＴＤＤ（時分割型デュプレックス）方式で通信を行う市町村デジタル同報通信システムにおけるフレーム構成とバースト信号の波形を示す説明図である。
【図３】この発明の実施の形態３による無線装置を示す構成図である。
【符号の説明】
【００２４】
１  変調器（変調手段）、２  可変アッテネータ（レベル調整手段）、３  電力増幅器、４  方向性結合器（送信手段、検波手段）、５  アンテナ（送信手段）、６  検波器（検波手段）、７  ローパスフィルタ（検波手段）、８  Ａ／Ｄ変換器、９  ＣＰＵ（レベル調整手段）、１０  Ｄ／Ａ変換器、１１  タイミング設定器（タイミング設定手段）。
【図１】
2005184251.tif 000003
【図２】
2005184251.tif 000004
【図３】
2005184251.tif 000005